(57)【要約】【課題】財の提供を受けることができる施設により確実に到達することができるルート探索装置を提供する。【解決手段】財情報確認部１３は、施設において財の提供の可否に関する財情報を逐次確認する。また、ルート計算部１４は、現在地からユーザが取得したい財を提供する施設までのルートを計算して出力するとともに、この出力されたルートに従ってユーザが当該施設へ移動中に当該施設で当該財の提供が不可となった場合、当該財を提供可能な他の施設へのルートを計算する。これにより、財の提供を受けることができる施設により確実に到達することができる。【選択図】  図２
2013120062.tif 000002
【特許請求の範囲】
【請求項１】
財を提供する施設に関する情報を含む地図情報を記憶したデータベースと、
現在地の位置情報を取得する位置情報取得部と、
前記施設において前記財の提供の可否に関する財情報を逐次確認する財情報確認部と、
ユーザが取得したい財に関するユーザ情報を取得するユーザ情報取得部と、
前記地図情報、前記財情報および前記ユーザ情報に基づいて、前記現在地から前記ユーザが取得したい財を提供する施設までのルートを計算するルート計算部と、
このルート計算部による計算されたルートを出力する出力部と
を備え、
前記ルート計算部は、前記出力部に出力された前記ルートに従って前記ユーザが取得したい財を提供する施設へ移動中に当該施設で当該財の提供が不可となった場合、当該財を提供可能な他の施設へのルートを計算する
ことを特徴とするルート探索装置。
【請求項２】
請求項１記載のルート探索装置において、
前記ルート計算部は、前記ユーザが取得したい財を提供可能な施設が複数存在する場合、前記現在値から最も近い施設までのルートを計算する
ことを特徴とするルート探索装置。
【発明の詳細な説明】
【技術分野】
【０００１】
本発明は、ルート探索装置に関するものであり、特に、ユーザが取得したい商品やサービスを提供する施設までのルートを探索するルート探索装置に関するものである。
【背景技術】
【０００２】
カーナビゲーションシステムなどのルート探索装置は、目的地と出発地を入力すると地図情報からルートを探索して画面上に表示するとともに、出発地または現在地をＧＰＳ（Global Positioning System）で測定しながらその画面上に表示することにより、道案内を行うシステムである。このようなカーナビゲーションシステムでは、現在地と目的地との間の距離が最短となるようにルートの検索や表示が行われるものが多かったが、近年では、高速道路の利用を考慮した所要時間、ルート上の信号、カーブ、勾配などの道路状況を考慮した燃料消費量、さらには道路周辺の観光地や施設など距離以外の要素をルート探索に反映させるシステムが開発されている（例えば、非特許文献１参照。）。また、ＶＩＣＳ（Vehicle Information and Communication System）のように、ルート上の交通情報をリアルタイムで入手して渋滞箇所がないルートを提示するといったルート探索も可能となっている。
【０００３】
近年では、目的地までのルート上に存在する施設で提供されている商品やサービスの情報も提示し、ユーザがそのサービスの提供を希望する場合にその施設までのルートを検索して提示する装置も提案されている。
【先行技術文献】
【非特許文献】
【０００４】
【非特許文献１】本田技研工業株式会社、２００８年８月２８日四輪製品ニュース、ニーズに合わせたルート配信サービス「インターナビ・ルート」を発表〜自動車メーカーとして世界初の省燃費ルートやETC割引ルートを設定〜、［平成２３年１１月２４日検索］、インターネット<ＵＲＬ：http://www.honda.co.jp/news/2008/4080828a.html>
【発明の概要】
【発明が解決しようとする課題】
【０００５】
しかしながら、ある商品やサービスといった財の提供を希望するユーザがその提供が行われる施設までのルートを探索してその施設に到着しても、目的の商品を取り扱っていなかったり、在庫が切れていたり、施設が休みであったりして、目的の財の提供を受けることができない場合があった。このような場合には、目的の財の提供を受けることができる別の施設を検索し、この施設を目的地に設定して再度ルートの検索を行わなければならず、無駄な検索や移動が発生していた。
【０００６】
そこで、本発明は、財の提供を受けることができる施設により確実に到達することができるルート探索装置を提供することを目的とする。
【課題を解決するための手段】
【０００７】
上述したような課題を解決するために、本発明に係るルート探索装置は、財を提供する施設に関する情報を含む地図情報を記憶したデータベースと、現在地の位置情報を取得する位置情報取得部と、施設において財の提供の可否に関する財情報を逐次確認する財情報確認部と、ユーザが取得したい財に関するユーザ情報を取得するユーザ情報取得部と、地図情報、財情報およびユーザ情報に基づいて、現在地からユーザが取得したい財を提供する施設までのルートを計算するルート計算部と、このルート計算部による計算されたルートを出力する出力部とを備え、ルート計算部は、出力部に出力されたルートに従ってユーザが取得したい財を提供する施設へ移動中に当該施設で当該財の提供が不可となった場合、当該財を提供可能な他の施設へのルートを計算することを特徴とするものである。
【０００８】
上記ルート探索装置において、ルート計算部は、ユーザが取得したい財を提供可能な施設が複数存在する場合、現在値から最も近い施設までのルートを計算するようにしてもよい。
【発明の効果】
【０００９】
本発明によれば、施設において財の提供の可否に関する財情報を逐次確認し、現在地からユーザが取得したい財を提供する施設までのルートを計算して出力するとともに、この出力されたルートに従ってユーザが当該施設へ移動中に当該施設で当該財の提供が不可となった場合、当該財を提供可能な他の施設へのルートを計算するので、財の提供を受けることができる施設により確実に到達することができる
【図面の簡単な説明】
【００１０】
【図１】図１は、本発明の実施の形態に係るルート探索装置とこのルート探索装置が適用される適用環境との関係を模式的に示す図である。
【図２】図２は、本発明の実施の形態に係るルート探索装置を備えたルート探索システムの構成を模式的に示す図である。
【図３】図３は、財情報を模式的に示す図である。
【図４】図４は、地図情報に含まれる情報の一部を模式的に示す図である。
【図５】図５は、本発明の実施の形態に係るルート探索装置の動作を説明するフローチャートである。
【発明を実施するための形態】
【００１１】
［ルート探索システムの構成］
図１に示すように、本実施の形態に係るルート探索装置１は、例えば、自動車、自動二輪車、自転車などの移動体１００に搭載されるものであり、出発地から商品やサービスなどの財を提供する施設２０１〜２０３までのルートを探索するものである。
このようなルート探索装置１は、図２に示すように、ルート探索装置１が適用される外部環境に関する各種情報を提供する適用環境２と、ルート探索装置１と適用環境２との間で各種情報の送受信を実現するネットワーク３とともに、ルート探索システムを構築している。
【００１２】
ここで、適用環境２から提供される情報としては、ユーザが操作入力することにより取得可能な移動体１００の出発地および目的地の位置情報やユーザが取得したい財に関するユーザ情報２１、ＧＰＳ等を介して取得可能な移動体１００の現在地の位置情報に関する位置情報２２、ＰＯＳ（Point of sale system）データなどから取得可能であり、財を提供する施設において現時点で財を提供可能か否かに関する財情報２３がある。この財情報２３は、例えば、図３に示すように、財、この財を取り扱っている施設、その財の在庫の有無、および、その施設が営業しているか否かなどに関する情報から構成されている。
これらの情報は、ネットワーク３を介した通信やユーザの操作入力によりルート探索装置１に入力される。
【００１３】
＜ルート探索装置＞
ルート探索装置１は、情報取得部１１と、地図情報データベース（ＤＢ：Data Base）１２と、財情報確認部１３と、ルート計算部１４と、出力部１５と、ルート案内部１６とを備えている。
【００１４】
情報取得部１１は、ユーザによる操作入力やネットワーク３を介して適用環境２から各種情報を取得するインターフェース回路である。このような情報取得部１１は、ユーザ情報２１を取得するユーザ情報取得部１１１と、位置情報２２を取得する位置情報取得部１１２と、財情報２３を取得する財情報取得部１１３とを備える。
【００１５】
地図情報ＤＢ１２は、地図情報を記憶するデータベースである。その地図情報には、例えば図４に示すように、商品やサービスなどの財を提供する施設およびこの施設の住所に関する情報も含まれている。
【００１６】
財情報確認部１３は、財情報２３に基づいて、財の提供の可否を逐次確認する機能部である。本実施の形態において、財情報確認部１３は、ユーザ情報２１および財情報２３に基づいて、ユーザが取得したい財が存在する施設を逐次確認する場合を例に説明するが、全ての財の提供の可否について逐次確認するようにしてもよい。
【００１７】
ルート計算部１４は、情報取得部１１により取得されたユーザ情報２１、位置情報２２および財情報２３と、地図情報ＤＢ１２に記憶された地図情報とに基づいて、出発地からユーザが取得したい財を提供可能な施設までの経路（ルート）を計算する機能部である。
【００１８】
出力部１５は、ルート計算部１４により計算されたルートを出力する機能部である。この出力形態としては、表示装置に表示させたり、スピーカから音声出力させたりすることができる。
【００１９】
ルート案内部１６は、出力部１５に表示されたルートに沿ってユーザが取得したい財を提供可能な施設までのルート案内を行う機能部である。この案内方法としては、例えば、出力部１５に表示された地図上にユーザの現在位置を示すアイコンを表示し、位置情報２２により得られる現在地の位置情報からユーザの移動に伴ってアイコンを地図上で移動させるとともに、目的地への移動方向を表示や音声で出力することにより行われる。
【００２０】
このようなルート探索装置１は、ＣＰＵ等の演算装置と、メモリ、ＨＤＤ（Hard Disk Drive）等の記憶装置と、キーボード、マウス、ポインティングデバイス、ボタン、タッチパネル等の外部から情報の入力を検出する入力装置と、インターネット、ＬＡＮ（Local Area Network）、ＷＡＮ（Wide Area Network）等の無線や有線の通信回線を介して各種情報の送受信を行うＩ／Ｆ装置と、ＬＣＤ（Liquid Crystal Display）や有機ＥＬ（Electro Luminescence）ディスプレイ等の表示装置を備えたコンピュータと、このコンピュータにインストールされたプログラムとから構成される。すなわちハードウェア装置とソフトウェアとが協働することによって、上記のハードウェア資源がプログラムによって制御され、情報取得部１１、地図情報ＤＢ１２、財情報確認部１３、ルート計算部１４、出力部１５およびルート案内部１６が実現される。なお、上記プログラムは、ＣＤ−ＲＯＭ、ＤＶＤ−ＲＯＭ、メモリカードなどの記録媒体に記録された状態で提供されるようにしてもよい。
【００２１】
［ルート探索装置の動作］
次に、図５を参照して、本実施の形態に係るルート探索装置の動作について説明する。
【００２２】
ルート検索を行う場合、まず、情報取得部１１は、移動体１００の現在地または出発地の位置情報を取得する（ステップＳ１１）。この位置情報は、例えば、ユーザ情報取得部１１１により、ユーザの操作入力に基づいて取得してもよいし、位置情報取得部１１２により、ＧＰＳ等から取得してもよい。
【００２３】
現在地または出発地の位置情報を取得し（ステップＳ１１：ＹＥＳ）、ユーザ情報１１１により、ユーザから取得したい財に関する情報を取得すると（ステップＳ１２）、財情報取得部１１３は、ネットワーク３を介して適用環境２からその財を提供する施設に関する財情報２３を取得する（ステップＳ１３）。ここで、ユーザが取得したい財に関する情報は、ユーザが直接操作入力したり、予めパソコンや携帯電話などで作成したリストをルート探索装置１に入力したり、出力部１５にカタログとして表示された商品群の中から選択したりすることより、取得するようにしてもよい。
【００２４】
財情報２３を取得すると、ルート計算部１４は、ユーザが取得したい財を提供可能な施設が存在するか否か確認する（ステップＳ１４）。例えば、図３に示すような財情報２３からユーザが取得したい財を提供可能な施設を抽出し、この施設の住所を図４に示すような地図情報に含まれる情報から抽出し、この住所と出発地とを比較することにより、財を提供可能な施設を探索する。なお、この段階では、現在地または出発地から所定の範囲内に存在する施設について確認が行われる。
【００２５】
ユーザが取得したい財を提供可能な施設がない場合（ステップＳ１４：ＮＯ）、ルート計算部１４は、財を提供可能な施設を確認する範囲を拡大した上で（ステップＳ１５）、その財を提供可能な施設が存在するか否かを確認する（ステップＳ１６）。
【００２６】
範囲を拡大してもユーザが取得したい財を提供可能な施設がない場合（ステップＳ１６：ＮＯ）、ルート計算部１４は、その財が取得不可能である旨を出力部１５に出力させる。この出力は、財が取得不可能である旨を表示装置に表示させたり、スピーカから音声出力させたりすることにより行うようにしてもよい。
また、ユーザが取得したい財が複数あったり、その財が複数の部分から構成されたりするようなときに、その財の一部のみを提供可能である場合、ルート計算部１４は、その一部の財を取得するか否かをユーザに確認する（ステップ１８）。この確認は、一部の財を取得するか否かについて入力を要求する旨を表示装置に表示させたり、スピーカから音声出力させたりすることにより行うようにしてもよい。この要求に対して、ユーザの操作入力により一部の財の取得を望まない旨の回答がなされた場合、ルート探索装置１は、ルート検索動作を終了する。
【００２７】
一方、ユーザが取得したい財または一部の財を提供可能な施設が存在する場合（ステップＳ１４：ＹＥＳ，ステップＳ１６：ＹＥＳ、ステップＳ１８：ＹＥＳ）、ルート計算部１４は、現在地または出発地からその施設までのルートを計算し、候補となるルートを出力部１５に出力させ（ステップＳ１９）、ルートを決定する（ステップＳ２０）。このとき、ルート計算部１４は、現在値から距離が最も短いルートを出力する。これにより、ユーザが取得したい財をより迅速に取得したり、移動に要するエネルギー消費量を少なくしたりすることができる。なお、出力するルートは、現在値から距離が最も短いルートに限定されず、交通状況や道路状況などに応じて適宜自由に設定することができる。例えば、所要時間が最も短いルートを出力したり、消費エネルギー量が最も少ないルートを出力したりするようにしてもよい。また、複数のルートを出力部１５に出力させて、それらの中からユーザが所望するルートを選択させるようにしてもよい。このとき、それぞれのルートに、エネルギー消費量を併せて表示させるようにしてもよい。
【００２８】
ルートが決定されると、ルート案内部１６は、そのルートに従ってルート案内を行う（ステップＳ２１）。
【００２９】
ルート案内が行われている間、財情報確認部１３は、そのルートの目的地である施設で提供される財が、現時点で提供可能であるかを確認する（ステップＳ２２）。この確認は、例えば１分間隔など所定時間間隔で行われる。なお、この所定時間は適宜自由に設定できることは言うまでもない。
【００３０】
財情報確認部１３による確認の結果、ユーザが取得したい財が提供できなくなったことが判明すると（ステップＳ２２：ＮＯ）、ルート探索装置１は、ステップＳ１３の処理に戻り、上述したステップＳ１４〜Ｓ２１の処理を行い、その財を提供可能な他の施設へのルートを探索する。これにより、例えば、ユーザの移動中に、商品の在庫が切れたり、到着予定時刻前に営業時間が終了したり、臨時休業となったりして財の取得が不可能になった場合でも、財の取得が可能な施設へのルートが再検索されるので、確実に財を取得することができる。
【００３１】
財情報確認部１３による確認の結果、ユーザが取得したい財が提供可能であることが判明し（ステップＳ２２：ＹＥＳ）、まだ目的地の施設に到着していない場合（ステップＳ２３：ＮＯ）、ルート案内部１６は、ステップＳ２１の処理に戻り、ルート案内を継続する。
一方、目的地の施設に到着すると（ステップＳ２３：ＹＥＳ）、ルート案内部１６は、ルート案内を終了する。
【００３２】
以上説明したように、本実施の形態によれば、財情報確認部１３により、施設において財の提供の可否に関する財情報を逐次確認し、ルート計算部１４により、現在地からユーザが取得したい財を提供する施設までのルートを計算して出力するとともに、この出力されたルートに従ってユーザが当該施設へ移動中に当該施設で当該財の提供が不可となった場合、当該財を提供可能な他の施設へのルートを計算されるので、財の提供を受けることができる施設により確実に到達することができる。
【００３３】
なお、本実施の形態では、ルート探索装置１を車等の移動体１００に搭載した場合を例に説明したが、移動可能であるならばルート探索装置１の搭載先は車等に限定されず、例えば、携帯電話機やノートパソコンなどの端末装置に適用することもできる。
【産業上の利用可能性】
【００３４】
本発明は、カーナビゲーションシステム等のルート探索装置に適用することができる。
【符号の説明】
【００３５】
１…ルート探索装置、２…適用環境、３…ネットワーク、１１…情報取得部、１２…地図情報データベース、１３…財情報確認部、１４…ルート計算部、１５…出力部、１６…ルート案内部、２１…ユーザ情報、２２…位置情報、２３…財情報、１００…移動体、１１１…ユーザ情報取得部、１１２…位置情報取得部、１１３…財情報取得部、２０１〜２０３…施設。
【図１】
2013120062.tif 000003
【図２】
2013120062.tif 000004
【図３】
2013120062.tif 000005
【図４】
2013120062.tif 000006
【図５】
2013120062.tif 000007